(57)【要約】【課題】  分画板を備えたパイプユニットを換気ダクト内に配置することによって、広範囲の騒音に対して高い消音効果を発揮でき、かつ通気抵抗が小さく、電子制御などの必要がなく、取付け作業が容易である換気システムを提供する。【解決手段】  建物の壁を貫通して配設される空気通過用のダクトを備えた換気システムにおいて、短筒からなるパイプユニット５を連続して空気の通過ダクトを構成し、それらのパイプユニット５にそれぞれ空気流路を分画する複数の分画板７を配置し、分画板７の配置形状の異なるパイプユニット５を前後に連続させ、空気と共にダクト内を伝播する騒音を、分画板７によって減衰させて遮音効果を得る。【選択図】        図２
2005172273.tif 000002
【特許請求の範囲】
【請求項１】
建物の壁を貫通して配設される空気通過用のダクトを備えた換気システムにおいて、
短筒からなるパイプユニットを連続して空気の通過ダクトを構成し、それらのパイプユニットにそれぞれ空気流路を分画する複数の分画板を配置し、分画板の配置形状の異なるパイプユニットを前後に連続させ、空気と共にダクト内を伝播する騒音を、分画板によって減衰させて遮音効果を得ることを特徴とする換気システム。
【請求項２】
前記パイプユニットの前後を接続し、空気の吸引口または排出口のいずれかの側から挿入配置し、メンテナンス時にはパイプユニットを取出し可能とした請求項１記載の換気システム。
【請求項３】
パイプユニットの前後位置を入れ替え可能とし、騒音の種類に応じて分画板の配置位置を入れ替え、遮音を行う請求項１又は２記載の換気システム。
【請求項４】
前記パイプユニットを円筒形とし、騒音の種類に応じて、分画板の配置位置を回転変化させ、遮音を行う請求項１、２又は３記載の換気システム。
【発明の詳細な説明】
【技術分野】
【０００１】
本発明は換気ダクトの遮音性を図った換気システム（給気口）に関する。
【背景技術】
【０００２】
一般に、建物の室内の空気を換気する換気装置（第三種換気）は、複数の外気と連結する換気通路（給気口）を設けて外気を取り込み、それとは別に換気ファンを取付け、このファンを稼動させて空気を排気する方法が採用されている。
そして、住宅等を建設する場合、近くに幹線道路や工場などがある時は、サッシの気密性を高めたり、二重サッシにしたり、その騒音レベルによって遮音対策を行い、住宅内の音環境の向上を図っている。ところが、住宅内の換気を行うための給気口からも音の侵入があるため、換気口に消音装置を取付け騒音対策を行う必要がある。また、逆に、カラオケルームや工場など屋内に騒音発生源である場合にも、換気口から屋外に音が漏れないように消音装置を取付ける必要がある。
近年では住宅の気密化、断熱化の傾向に伴い、換気装置からの騒音を防ぐために、換気装置にゴム発泡体、ポリスチレン発泡体やポリウレタン発泡体等の合成樹脂発泡体、グラスウール、ロックウール等の無機吸音材が使用されている。
このような防音効果を備えた換気システムに関する技術として特開平５−３０２３６９号公報記載の技術が知られている。
【特許文献１】特開平５−３０２３６９号公報
【発明の開示】
【発明が解決しようとする課題】
【０００３】
しかしながら上述した消音装置を備えた換気装置では、消音装置が換気風量の妨げになるのと同時に、機能を維持させるために頻繁にフィルター交換が必要となる。また、所定の換気量を得ようとすると、換気口の口径を大きくしなければならない問題点があった。
一方、空気調和機と通風ダクトが連通したダクトでは、ファンによる騒音が通風ダクトの一端から他端に伝播するあいだに通風ダクト内で反射し、一部の周波数成分は共鳴を起こし増幅される。したがって、通風ダクトを介して送風する場合、通風ダクト内部での共鳴による騒音の増加を抑え、室内への伝達騒音レベルを低減しなければならないという課題を有していた。
近年では、アクティブ消音など、音源の音を打消す音波を出すことで消音する装置も知られているが、スピーカーなど音波発生装置や、センサーのほか、様々な機器が必要になり、住宅の換気口用に用いるには高価であり、コスト高になるという問題点がある。
【０００４】
本発明は、かかる従来の問題点を解決するためになされたものであって、その目的とするところは、分画板を備えたパイプユニットを換気ダクト内に配置することによって、広範囲の騒音に対して高い消音効果を発揮でき、かつ通気抵抗が小さく、電子制御などの必要がなく、取付け作業が容易である換気システムを提供することにある。
【課題を解決するための手段】
【０００５】
請求項１記載の換気システムでは、建物の壁を貫通して配設される空気通過用のダクトを備えた換気システムにおいて、短筒からなるパイプユニットを連続して空気の通過ダクトを構成し、それらのパイプユニットにそれぞれ空気流路を分画する複数の分画板を配置し、分画板の配置形状の異なるパイプユニットを前後に連続させ、空気と共にダクト内を伝播する騒音を、分画板によって減衰させて遮音効果を得る構成とした。
【０００６】
請求項２記載の換気システムでは、請求項１記載の換気システムにおいて、前記パイプユニットの前後を接続し、空気の吸引口または排出口のいずれかの側から挿入配置し、メンテナンス時にはパイプユニットを取出し可能とした。
【０００７】
請求項３記載の換気システムでは、請求項１又は２記載の換気システムにおいて、パイプユニットの前後位置を入れ替え可能とし、騒音の種類に応じて分画板の配置位置を入れ替え、遮音を行う構成とした。
【０００８】
請求項４記載の換気システムでは、請求項１、２又は３記載の換気システムにおいて、前記パイプユニットを円筒形とし、騒音の種類に応じて、分画板の配置位置を回転変化させ、遮音を行う構成とした。
【発明の効果】
【０００９】
請求項１記載の換気システムにおいては、短筒からなるパイプユニットを連続して空気の通過ダクトを構成し、それらのパイプユニットにそれぞれ空気流路を分画する複数の分画板を配置し、分画板の配置形状の異なるパイプユニットを前後に連続させたので、ダクト内を伝播する騒音を、分画板によって減衰させて遮音効果を得ることができる。
また、換気口等の限られた空間に設置することができ、幹線道路や鉄道からの高周波騒音と低周波騒音の両方に対して高い消音効果を発揮でき、かつ通気抵抗が小さく、電子制御などの必要がなく、取付け作業が容易である。
【００１０】
請求項２記載の換気システムにおいては、パイプユニットの前後を接続し、空気の吸引口または排出口のいずれかの側から挿入配置したので、メンテナンス時にはパイプユニットを取出して洗浄することができる。
【００１１】
請求項３記載の換気システムにおいては、パイプユニットの前後位置を入れ替え可能としたので、壁厚、騒音状態に応じて、性能的に最良の組み合わせを選択して設置することができる。
【００１２】
請求項４記載の換気システムにおいては、パイプユニットを円筒形とし、騒音の種類に応じて、分画板の配置形状を回転変化させる構成としたので、壁厚、騒音状態に応じて、性能的に最良の組み合わせを選択して設置することができる。
【発明を実施するための最良の形態】
【００１３】
本発明の換気システムは住宅、建物内の換気ダクトに適用するシステムであり、図１に示すパイプユニット５を組み合わせてダクト内に配置し、空気の流れを分画することによって騒音の伝播を減衰させて騒音を遮断する構成である。
パイプユニット５はダクトの内周に収まる円筒形の外環６と、その外環６の内部に形成された分画板７によって構成され、これらのパイプユニット５を組み合わせて、換気ダクトの吸引側あるいは排出側の少なくとも一方に配置する。
パイプユニットＡは細かな六角形の網目状の分画板を有し、パイプユニットＢはＡに比べて大きな六角形の網目状の分画板を有している。パイプユニットＣは分画板が平行に所定間隔で配置され、それらの分画板が前後にやや傾斜している。
これらの、パイプユニット５を図に示すようにＡＣＢＣ’Ａの順に組み合わせることにより、空気の流路が分画され、増幅されようとする振動は分画板によって遮断される。
尚、パイプユニットＣ’はパイプユニットＣの前後を入れ替えたものであり、これらのパイプユニット５の順は入れ替えて最良の遮音効果を得るように設定を行う。
【実施例１】
【００１４】
以下、図面に基づいて本発明の実施例を説明する。
本発明の換気システムは図２に示すように、建物の壁１を貫通して配設されるダクト２と、ダクト内に挿入設置される連続したパイプユニットと、室内側のダクトに連結されたフード３と、フード３内に配置されるファンと、建物外側に配置された排出空気のガイド４板を主要な構成としている。
室内の空気はフード３内のファンに吸引されて、ダクト２を通過して、ガイド板４に導かれて、上方に排出換気される構成となっている。
前記ダクト２は建物内と外部を連通して空気を外に排出する通気孔であり、その大きさ・形状は、ダクトの用途、設置部位等によって決定されるが、本実施例では、ダクトの長さ１ｍ前後、直径数十ｃｍの円筒形ダクトが使用されている。
ダクト２の内周にはパイプユニット５が遊嵌して配置され、そのパイプユニット５は、円筒形の短筒からなり、ダクト２内周に収まるように外形寸法が定められている。また、パイプユニット５は、鋼製あるいは樹脂製の外環６と、その外環の内部に配置された鋼製あるいは樹脂製の分画板７によって構成されている。
【００１５】
前記パイプユニット５はそれぞれ同一直径の外環を有するが、内部の分画板７の配置形状が異なっている。パイプユニットＡは細かな六角形の網目状の分画板７を有している。パイプユニットＢはＡに比べて大きな六角形の網目状の分画板７を有している。これらパイプユニットＡＢは分画板７が相互に六角形の孔を形成している。パイプユニットＣは平行板が所定間隔で配置され、それらの平行板が前後にやや傾斜している。
これらの分画板７は空気の流れを阻害しないように、板面が空気の流れと同一の方向に、あるいは、板面がわずかに、空気の流れの前方から後方へ傾斜した状態で配置されている。ダクト２内を通過する共鳴する騒音、あるいは増幅されようとする振動は分画板によって遮断される。
本実施例では、外側から順にパイプユニットＡＣＢＡ順で挿入配置されている。
尚、パイプユニットの前後の順を入れ替えることにより、性能的に最良の組み合わせを選択して設置することができる。
【００１６】
これらのパイプユニット５は前後同士が図示しない連結部によって直列して接続され、外側端がガイド板５と接続されている。そのため、メンテナンス時にはガイド板４を引っ張ることにより、パイプユニット５をダクト２から引き抜いて取出すことができる。
また、パイプユニット５は円筒形であるので、前後相互に回転させて分画板の配置形状を変化させることができる。
【００１７】
次に本実施例の作用について説明する。
建物の周囲の騒音状態、あるいは、室内から発する騒音の状態に応じて、ダクト２内にパイプユニット５を組み合わせて設置する。このとき、パイプユニット５の数、分画板７の配置形状は性能的に最良の遮音効果を得るように設定を行う。
分画板７は空気の流れを阻害しないように、板面が空気の流れと同一の方向に、あるいは、板面がわずかに、空気の流れの前方から後方へ傾斜した状態で配置されているので、換気機能を阻害しない。
パイプユニット５を設置した後は、騒音がパイプユニットを通過する際に、分画板によって減衰させて遮音効果が得られる。
また、一部の周波数は共鳴を起こして増幅されるが、分画板によって共鳴が遮断されて増幅が防止される。よって、フィルター、消音装置を設置しなくても遮音効果を得ることができる。
使用と共にパイプユニット５の分画板７に塵、ゴミ等が堆積するが、その時はダクト２からパイプユニット５を取出し洗浄を行うことができる。そのため、メンテナンス時の効率性が図られている。
【００１８】
以上、本発明の実施例を説明したが、具体的な構成は前記実施例に限定されるものではなく、発明の要旨を逸脱しない範囲の設計変更等があっても本発明に含まれる。
例えば、前記実施例ではダクトの全長に渡ってパイプユニットを配置したが、ダクトが長くなる場合にはダクトの一端側にパイプユニット５を配置する構成としても本発明に含まれる。
また、パイプユニットの分画板の形状としては、六角形・平行板に限らず、他の形状を採用することも可能である。
【図面の簡単な説明】
【００１９】
【図１】パイプユニットの構成を示す説明図である。
【図２】本発明の換気システムの概略側面図である。
【符号の説明】
【００２０】
１  壁
２  ダクト
３  フード
４  ガイド板
５  パイプユニット
６  外環
７  分画板
【図１】
2005172273.tif 000003
【図２】
2005172273.tif 000004